(57)【要約】マイクロホン／イヤホンと、自動車電話、電話、交換機又はこれに類するものとの間の遠隔無線通信による装置であって、イヤホン（１０）は大きなＣ字形に形成され、Ｃ字部の両端部間の距離が、耳の耳珠（４）の下に形成された第１の空洞部と、耳の対耳輪（１３）の低い方のこぶ（１５）によって覆われた第２の空洞部との間の距離にほぼ等しくなっている。Ｃ字部の上部は、第２の空洞部の下部を覆っているフラップ（２）の下の第２の空洞部内に突出している。イヤホンユニットは、送信機／受信機と、アンテナと、マイクロホン（６）と、バッテリ（７）とを備えている。マイクロホン（６）は、送信機／受信機のアンテナも収容しているマイクロホンロッド（１２）を介して、イヤホン（１０）に接続されている。
2004527931.tif 000002
【特許請求の範囲】
【請求項１】
マイクロホン／イヤホンと、自動車電話、電話、スイッチボード又はこれに類するものとの間の無線通信による装置であって、
イヤホン（１０）が大きなＣ字形に形成され、
Ｃ字部の両端部（５、８）間の距離が、耳の耳珠（４）の下に形成された第１の空洞部と、耳の対耳輪の低い方のこぶ（１５）によって覆われた第２の空洞部との間の距離にほぼ等しく、
Ｃ字部の上部が、第２の空洞部の下部を覆っているフラップ（２）の下に突出していることを特徴とする装置。
【請求項２】
イヤホン（１０）が、送信機／受信機、アンテナ、マイクロフォン（６）及びバッテリ（７）を含んでいるケース部を備えていることを特徴とする請求項１に記載の装置。
【請求項３】
マイクロホン（６）が、送信機／受信機のためのアンテナも収容しているマイクロホンロッド（１２）を介して、イヤホン（１０）に接続されていることを特徴とする請求項１又は２に記載の装置。
【請求項４】
上記Ｃ字部の両端部（５、８）が、上記ケース部から突出していることを特徴とする請求項３又は４に記載の装置。
【発明の詳細な説明】
【０００１】
本発明は、請求項１の前置き部（ｐｒｅａｍｂｌｅ）に記載されているような、マイクロホン／イヤホン（ｅａｒｐｉｅｃｅ）と、自動車電話、電話、スイッチボード（ｓｗｉｔｃｈｂｏａｒｄ）又はこれに類するものとの間の無線通信による装置に関するものである。
【０００２】
電話、スイッチボード等の無線通信に用いられるマイクロホン／イヤホンの組み合わせ物は知られている。しかしながら、このような既知の装置は、一般にイヤホンのための弓形部と、この弓形部に接続されたマイクロホンとを伴って形成されている。このような装置は、非使用時にはポケット、かばん又は同様の格納スペースに容易に収納できるような形とされるべきであるので、携帯用の装置での使用には不向きである。
【０００３】
このように、イヤホン及びマイクロホンは、１つのユニットに一体化され、耳に対して快適で安定した状態でフィットしつつ、単純な仕様で耳につけることができるようになっているのが実用的である。現在、いわゆるイヤプラグ装置と呼ばれる、耳に装着される補聴器が存在する。しかしながら、これらは、安定かつ快適に使用するには、ユーザ毎に個別的に調整しなければならないので、大量生産には適していない。これは、プラグが挿入される耳の開口部が人によって異なるという事実にとくに起因している。外耳もまた人によって異なるが、これらの差異は、さほど大きくない。これは、イヤホンを取りつけるために耳の外形部を使用する上においては、２つ又は３つの異なるサイズがあれば、これらの差異をカバーするのに十分であるということを意味する。
【０００４】
さらに、イヤプラグは、耳道を塞いでしまい、ユーザに不快感を与えるであろう。さらに、耳の中に自然に生成されるワックスは出て行かないので、これは耳の定期的な洗浄により除去される必要がある。
【０００５】
ウォークマン等のイヤホンが知られているが、これは、固定のために耳の外部のみを使用する。しかしながら、これらは円形であり、固定のために耳の外側の空洞部の下部のみを使用し、耳のサイズのわずかな違いによっても、うまくフィットしなくなる。
【０００６】
本発明の目的は、マイクロホンを備えたイヤホンの安定かつ快適な支持を確保しつつ、前記の欠点を回避することである。これは請求項１の特徴部分を備えた、最初の部分で述べたタイプの装置により実現される。本発明のさらなる特徴は、その他の従属請求項に記載されている。
【０００７】
このイヤホンの形状は、耳道がある程度は周囲に開放された状態となるのを可能にする。これは、耳道を塞ぎ又は閉じるユニットに比べて、より快適なものとなる。
【０００８】
以下、本発明は、添付の図面を参照しつつ、より詳細に説明される。
【０００９】
図１は、よく知られた補聴器用のイヤプラグ１を示している。この図から明らかなとおり、イヤプラグの外縁部は、対耳輪１３の下部、耳の対珠３及び耳珠４、隣接している珠間切痕１４などの耳の外部により、耳の中に保持されている。イヤプラグ１は、さらに、前記のような欠陥を伴って、耳の内部に伸びるプラグを有する聴き取りユニットにより保持されている。
【００１０】
本発明によれば、外耳の大部分が利用され、このため以前から知られているものに比べて、ユーザにより良好な快適さを与えつつ、より高い安定性を実現することができる。本発明はまた、対耳輪の低い方のこぶ１５及びフラップ２によって覆われた空隙部と、対耳輪１３の上部とを利用する。これらは、頭に隣接する耳の外部により上記空洞部を覆っている。
【００１１】
図２には、本発明にかかるイヤホン１０が模式的に示され、このイヤホンは、結合部１１でイヤホン１０に接続されたマイクロホンロッド１２とマイクロホン６とを備えている。マイクロホンロッド１２は、イヤホン１０内に配置された送信機／受信機とマイクロフォン６との間に接続部を備えている。イヤホン内、ないしはイヤホン１０の下部７内には、再充電可能なバッテリ、例えば小型ペンライト用電池セルの形態の、送信機／受信機のための電源も配置されている。この形状及び重量により、耳の空洞部の下部内のランド部に形成された回転軸に対する相対的な重力中心が低くなる（珠間切痕１４による）。これは、ユーザが運動している時にイヤホン１０の力学的な安定性を高めるのに役立つ。もし重力の中心がこれより高ければ、ユーザの素早い運動により引き起こされる求心力が、イヤホン１０を元の位置から引きずり落としてしまうであろう。無線通信部分のアンテナは、例えばマイクロホンンロッド内に配置される。
【００１２】
イヤホン１０はＣ字形であり、この外側のＣ字部の曲線９は、耳の対耳輪１３に対応し、傾斜した表面を有している。このため、Ｃ字部は、対耳輪１３の内部に入り、Ｃ字部の下部は耳の対珠３の下に部分的に位置している。バッテリ部７は、配置され、耳の珠間切痕１４により多く又はより少なく配置することにより、イヤホン１０の正確な位置決めのためのガイド及び重量を与えつつ、Ｃ字部から下向きに突出している。そして、Ｃ字部の下部８は、耳の耳珠４の下に形成された空洞部内に突出している。Ｃ字部の上部は、対耳輪の低い方のこぶ１５によって覆われた空洞部内に突出し、フラップ２の下で上記空洞部の下部を覆っている。
【００１３】
イヤホン１０を用いることにより、イヤホン１０の外縁部１６と耳の壁との間に開口部が形成される。これは、Ｃ字部の両端部５及び８がイヤホン１０のケースから外向きに突出するということを意味する。さらに、聴き取り要素を含んでいるイヤホンの一部は、Ｃ字部に対して相対的に軽く引っ込んでおり、これにより聴き取り要素が耳道に直接接触しなくなり、耳道と周囲との間に開口部を形成することになる。
【図面の簡単な説明】
【図１】補聴器用の、良く知られた普通のイヤプラグを伴った耳の図である。
【図２】マイクロホンロッドを備えた、本発明にかかるイヤホンの図である。
【符号の説明】
１  イヤプラグ、２  フラップ、３  対珠、４  耳珠、５  端部、６  マイクロホン、７  下部、８  端部、９  曲線、１０  イヤホン、１１  結合部、１２  マイクロホンロッド、１３  対耳輪、１４  珠間切痕、１５  こぶ、１６  外縁部。
【国際公開パンフレット】
2004527931.tif 000003
2004527931.tif 000004
2004527931.tif 000005
2004527931.tif 000006
2004527931.tif 000007
2004527931.tif 000008
2004527931.tif 000009
【国際調査報告】
2004527931.tif 000010
2004527931.tif 000011